(57)【要約】【課題】使用済みの樹脂フィルムに付いた泥等を洗浄水を使わないでも十分に洗浄できる乾式洗浄機を提供する。【解決手段】樹脂フィルムの洗浄機１において、互いに対峙して循環する第一、第二洗浄ベルト２，３と、この第一、第二洗浄ベルト２，３の間に樹脂フィルムを導入する導入部７と、第一、第二洗浄ベルト２，３の間を通過した樹脂フィルムを排出する排出部８とを備え、第一、第二洗浄ベルト２，３の循環速度を相違させる。【選択図】    図１
2004202299.tif 000002
【特許請求の範囲】
【請求項１】
互いに対峙して循環する第一、第二洗浄ベルトと、この第一、第二洗浄ベルトの間に樹脂フィルムを導入する導入部と、第一、第二洗浄ベルトの間を通過した樹脂フィルムを排出する排出部とを備え、第一、第二洗浄ベルトの循環速度を相違させたことを特徴とする樹脂フィルムの洗浄機。
【請求項２】
前記第一、第二洗浄ベルトに付着した汚れを吸引する吸引手段を備えたことを特徴とする請求項１に記載の樹脂フィルムの洗浄機。
【請求項３】
前記第一、第二洗浄ベルトに付着した汚れをふるい落とす手段を備えたことを特徴とする請求項１または２に記載の樹脂フィルムの洗浄機。
【請求項４】
前記第一、第二洗浄ベルトを互いに近づけるように付勢する付勢手段を備えたことを特徴とする請求項１から３のいずれか一つに記載の樹脂フィルムの洗浄機。
【請求項５】
前記付勢手段として前記第一、第二洗浄ベルトを蛇行させるように案内する押し付け部材を備えたことを特徴とする請求項４に記載の樹脂フィルムの洗浄機。
【発明の詳細な説明】
【０００１】
【発明の属する技術分野】
本発明は、樹脂フィルムを再利用するための洗浄機に関するものである。
【０００２】
【従来の技術】
畑等で使用された使用済みの農業用のポリエチレン製フィルム、ビニール製フィルム等を再生する場合、フィルムに付いた泥等の汚れを洗浄する必要があった。
【０００３】
従来、この種の再生装置として、図１３に示すように、破砕されたフィルム廃棄物から汚泥等の異物を分離除去する水洗式の洗浄機１０１を備えるものがあった。この洗浄機１０１は、円筒形の洗浄槽１０２と、洗浄槽１０２内に入れられた洗浄液とフィルム廃棄物と旋回させるロータ１０３と、洗浄済みのフィルム廃棄物を外部に取り出す取出パイプ１０４と、取出パイプ１０４中に取付けられた開閉弁１０５とからなる。ロータ１０３が回転すると、導入されたフィルム片が水槽１０２内の洗浄液と一緒に旋回流動し、フィルム廃棄物に付いた汚れを落とすようになっている。
【０００４】
【特許文献１】
特開２００１−１７０９３７号公報
【０００５】
【発明が解決しようとする課題】
しかしながら、このような水洗式の洗浄機１０１はフィルム廃棄物を洗浄するのに大量の洗浄水を使うため、洗浄水を浄化処理する設備や、洗浄後のフィルム廃棄物を乾燥させる設備が必要となり、設備コスト及びランニングコストが高くなるという問題点があった。
【０００６】
また、従来、洗浄水を使わない乾式の洗浄機として、多数のピンが突出した回転体を備え、ピンが樹脂フィルムに衝突する衝撃力によって汚れを剥離させるものがあった。
【０００７】
しかしながら、この場合、厚みのあるビニール製フィルム等に付着した汚れを十分に落とすことができないという問題点があった。
【０００８】
本発明は上記の問題点に鑑みてなされたものであり、使用済みの樹脂フィルムに付いた泥等を洗浄水を使わないでも十分に洗浄できる洗浄機を提供することを目的とする。
【０００９】
【課題を解決するための手段】
第１の発明は、樹脂フィルムの洗浄機において、互いに対峙して循環する第一、第二洗浄ベルトと、この第一、第二洗浄ベルトの間に樹脂フィルムを導入する導入部と、第一、第二洗浄ベルトの間を通過した樹脂フィルムを排出する排出部とを備え、第一、第二洗浄ベルトの循環速度を相違させたことを特徴とするものとした。
【００１０】
第２の発明は、第１の発明において、第一、第二洗浄ベルトに付着した汚れを吸引する吸引手段を備えたことを特徴とするものとした。
【００１１】
第３の発明は、第１または第２の発明において、第一、第二洗浄ベルトに付着した汚れをふるい落とす手段を備えたことを特徴とするものとした。
【００１２】
第４の発明は、第１から第３のいずれか一つの発明において、第一、第二洗浄ベルトを互いに近づけるように付勢する付勢手段を備えたことを特徴とするものとした。
【００１３】
第５の発明は、第４の発明において、付勢手段として第一、第二洗浄ベルトを蛇行させるように案内する押し付け部材を備えたことを特徴とするものとした。
【００１４】
【発明の作用および効果】
第１の発明によると、導入部から導入される樹脂フィルムは、導入部から循環する第一、第二洗浄ベルトの間に入って排出部へと向かう過程で、第一、第二洗浄ベルトの循環速度が異なることにより、第一、第二洗浄ベルトが押し付けられて摺接し、これに付着した泥等がふき取られる。これにより、例えば畑で使用された樹脂フィルム等の汚れを洗浄水を使わないでも十分に落とすことが可能となる。
【００１５】
また、この洗浄機は樹脂フィルムの投入、洗浄、排出を連続して行うため、高い処理効率が得られる。
【００１６】
第２の発明によると、第一、第二洗浄ベルトに付着した泥等の汚れは吸引手段によつて吸引されることにより、第一、第二洗浄ベルトから分離され、回収できる。
【００１７】
第３の発明によると、第一、第二洗浄ベルトに付着した汚れをふるい落とすことにより、第一、第二洗浄ベルトに付着した泥等の汚れを有効に分離できる。
【００１８】
第４の発明によると、第一、第二洗浄ベルトに挟まれて通過する樹脂フィルムは、付勢手段によって第一、第二洗浄ベルトから摩擦力が与えられることにより、汚れが十分に落とされる。
【００１９】
第５の発明によると、第一、第二洗浄ベルトに挟まれて通過する樹脂フィルムは、付勢手段によって第一、第二洗浄ベルトから摩擦力が広い範囲で繰り返し与えられることによりその表面に付いた汚れが十分に落とされる。
【００２０】
【発明の実施の形態】
以下、本発明の実施の形態を添付図面に基づいて説明する。
【００２１】
図１は本発明の樹脂フィルムの乾式洗浄機１を示し、この洗浄機１は使用済みの農業用のポリエチレン製フィルム、ビニール製フィルム等の樹脂フィルムを再生する再生装置に備えられる。この再生装置は、図示しない粉砕器によってある程度の大きさに破砕された樹脂フィルムが洗浄機１に導入され、洗浄機１によって樹脂フィルムに付いた泥等が分離され、各洗浄機１から排出された後に所定の処理行程を経て再生材料がつくられる。
【００２２】
洗浄機１は互いに対峙して循環する第一、第二洗浄ベルト２，３と、この第一、第二洗浄ベルト２，３の間に樹脂フィルムを導入する導入部７と、第一、第二洗浄ベルト２，３の間を通過した樹脂フィルムを排出する排出部８とを備え、第一、第二洗浄ベルト２，３の循環速度を相違させている。
【００２３】
第一、第二洗浄ベルト２，３は例えばフェルト地によってエンドレスの帯状に形成され、略水平方向に循環するように配置される。第一洗浄ベルト２はその上部が図において右方向に循環し、その下部が図において左方向に循環する。第二洗浄ベルト３はその上部が図において左方向に循環し、その下部が図において右方向に循環する。つまり、第一、第二洗浄ベルト２，３は互いに対峙する面が同一方向（図において左方向）に循環し、両者の間に挟まれる樹脂フィルムを導入部７から排出部８へと送るようになっている。
【００２４】
図２に示すように、上フレーム１０には各ローラ１１〜１８が水平軸まわりに回動可能に支持され、第一洗浄ベルト２に所定の張力を付与する。第一洗浄ベルト２は１つの駆動ローラ１１と、６個の従動ローラ１２〜１７と、９個の押し付けローラ１８とに案内され、所定の軌道で循環する。従動ローラ１３は従動ローラ１２より第二洗浄ベルト３より高く配置され、導入部７を形成する第一洗浄ベルト２の端部を傾斜させるようになっている。
【００２５】
駆動ローラ１１の上方には駆動ローラ１１を回転駆動するモータ３０が設けられる。駆動ローラ１１の回転軸の端部にはスプロケット３１が連結され、モータ３０の出力軸にはスプロケット３３が連結され、両スプロケット３１，３３の間にはチェーン３２が掛け回される。
【００２６】
下フレーム２０には各ローラ２１〜２６が水平軸まわりに回動可能に支持され、第二洗浄ベルト３に所定の張力を付与する。第二洗浄ベルト３は１つの駆動ローラ２１と、４個の従動ローラ２２〜２５と、９個の押し付けローラ２６とに案内され、従動ローラ２２が駆動ローラ２１と略同一高さに配置され、第二洗浄ベルト３が略水平に延びている。
【００２７】
図４に示すように、駆動ローラ２１の下方には駆動ローラ２１を回転駆動するモータ４０が設けられる。駆動ローラ２１の回転軸の端部にはスプロケット４１が連結され、モータ４０の出力軸にはスプロケット４３が連結され、両スプロケット４１，４３の間にはチェーン４２が掛け回される。
【００２８】
第一、第二洗浄ベルト２，３に所定の速度差を持たせるように、各モータ３０，４０の回転速度、スプロケット３１，３３の歯数比、スプロケット４１，４３の歯数比が任意に設定される。
【００２９】
第一、第二洗浄ベルト２，３を互いに近づけるように付勢する付勢手段として、図３に示すように、各押し付けローラ１８はそれぞの回転軸が対のロッド３４を介して垂直方向に変位可能に支持され、対のスプリング３５を介して第一洗浄ベルト２を第二洗浄ベルト３に近づけるように付勢する一方、各押し付けローラ２６はそれぞの回転軸が対のロッド４４を介して垂直方向に変位可能に支持され、対のスプリング４５を介して第二洗浄ベルト３を第一洗浄ベルト２に近づけるように付勢している。
【００３０】
本実施の形態では、押し付けローラ１８と２６は互いに対向するように略同一面上で移動するように配置される。
【００３１】
第一、第二洗浄ベルト２，３に付着した汚れを吸引する吸引手段として、図６に示すように、第一、第二洗浄ベルト２，３を通して空気を吸引する第一、第二吸引ケース４，５が設けられる。ロート状の第一、第二吸引ケース４，５は図示しないブロアを介してサイクロンに送られ、樹脂フィルムから分離した泥や塵埃が遠心力によって回収される。
【００３２】
従動ローラ１５，１６は第一洗浄ベルト２を上フレーム１０から浮かすように配置し、第一吸引ケース４に吸引される空気が第一洗浄ベルト２の背面から入るようにしている。第一吸引ケース４の開口縁部は第一洗浄ベルト２に摺接する。
【００３３】
同様に、従動ローラ２４，２５は第一洗浄ベルト２を上フレーム１０から浮かすように配置され、第に吸引ケース５に吸引される空気が第二洗浄ベルト３の背面から入るようにしている。第二吸引ケース５の開口縁部は第二洗浄ベルト３に摺接する。
【００３４】
吸引ケース４，５内にて第一、第二洗浄ベルト２，３に付着した汚れをふるい落とす手段として、複数のエアスプレーノズル５１，５２が設けられる。各エアスプレーノズル５１，５２には図示しない空気圧源から加圧空気が導かれ、この加圧空気を第一、第二洗浄ベルト２，３に当てて汚れをふるい落とすようになっている。
【００３５】
また、吸引ケース４，５内にて第一、第二洗浄ベルト２，３に付着した汚れをふるい落とす手段を、第一、第二洗浄ベルト２，３にブラシ等を摺接させて汚れをふるい落とす構成としても良い。
【００３６】
以上のように構成されて、次に作用について説明する。
【００３７】
樹脂フィルムの破砕片が図示しないコンベア等を介して導入部７より手前の第二洗浄ベルト３上に運ばれる。この樹脂フィルムの破砕片は、導入部７から循環する第一、第二洗浄ベルト２，３の間に入って排出部８へと向かう過程で、第一、第二洗浄ベルト２，３の循環速度が異なることにより、第一、第二洗浄ベルト２，３が押し付けられて摺接し、これに付着した泥等がふき取られる。
【００３８】
各スプリング３５，４５が各押し付けローラ１８，２６を介して第一、第二洗浄ベルト２，３を互いに近づけるように付勢することにより樹脂フィルムは摩擦力が繰り返し与えられることによってその表面に付いた汚れが十分に落とされる。
【００３９】
こうして乾式洗浄機１にて洗浄された樹脂フィルムは図示しない送りブロアを介してサイクロンに送られ、樹脂フィルムから分離した泥や塵埃が遠心力によって取り除かれた後、所定の処理行程を経て再生材料となる。
【００４０】
吸引ケース４，５内にて第一、第二洗浄ベルト２，３に付着した泥等の汚れは各エアスプレーノズル５１，５２から噴出する加圧空気が当てられることによってふるい落とされ、かつ第一、第二吸引ケース４，５を介して吸引されることにより、第一、第二洗浄ベルト２，３から分離され、回収される。
【００４１】
次に図７〜図１２に示す他の実施の形態を説明する。なお、前記実施の形態と同一構成部には同一符号を付す。
【００４２】
この洗浄機１は、押し付けローラ１８と２６を互いに対向しないように異なる面上で移動する配置とし、第一、第二洗浄ベルト２，３が各押し付けローラ（押し付け部材）１８，２６に案内されて蛇行する構成とする。
【００４３】
各押し付けローラ１８の回転軸は上フレーム１０に対して上下方向に変位不能に支持される。各押し付けローラ１８の回転軸の一端にはスプロケット６１が連結され、モータ３０の出力軸にはスプロケット３３が連結され、各スプロケット３３，６１，６２の間にはチェーン６３が掛け回され、各押し付けローラ１８に回転力が伝達される。
【００４４】
この場合、第一、第二洗浄ベルト２，３に挟まれて通過する樹脂フィルムは、第一、第二洗浄ベルト２，３から摩擦力が広い範囲で繰り返し与えられることによってその表面に付いた汚れが十分に落とされる。
【００４５】
また、押し付け部材として押し付けローラ１８，２６にかえて第一、第二洗浄ベルト２，３に摺接するガイド板を設けても良い。
【００４６】
本発明は上記の実施の形態に限定されずに、その技術的な思想の範囲内において種々の変更がなしうることは明白である。
【図面の簡単な説明】
【図１】本発明の実施の形態を示す洗浄機の側面図。
【図２】同じく平面図。
【図３】同じく正面図。
【図４】同じく正面図。
【図５】同じく正面図。
【図６】同じく正面図。
【図７】他の実施の形態を示す洗浄機の側面図。
【図８】同じく平面図。
【図９】同じく正面図。
【図１０】同じく正面図。
【図１１】同じく正面図。
【図１２】同じく正面図。
【図１３】従来例を示す洗浄機の断面図。
【符号の説明】
１  洗浄機
２  第一洗浄ベルト
３  第二洗浄ベルト
４，５  吸引ケース
７  導入部
８  排出部
１１，２１  駆動ローラ
１８，２６  押し付けローラ
３０，４０  モータ
５１，５２  エアスプレーノズル
【図１】
2004202299.tif 000003
【図２】
2004202299.tif 000004
【図３】
2004202299.tif 000005
【図４】
2004202299.tif 000006
【図５】
2004202299.tif 000007
【図６】
2004202299.tif 000008
【図７】
2004202299.tif 000009
【図８】
2004202299.tif 000010
【図９】
2004202299.tif 000011
【図１０】
2004202299.tif 000012
【図１１】
2004202299.tif 000013
【図１２】
2004202299.tif 000014
【図１３】
2004202299.tif 000015